(57)【要約】【課題】観察窓に水を吹き付けられるだけでなく、空気混じりの噴霧状態にもすることができて、観察窓に強力に付着した粘液等を洗い流すことができるようにすると共に、噴霧動作の後に送気操作がなされた時に、送気される空気に水が混じらず、術者の内視鏡操作のリズムが乱されない給水ボトルを備えた内視鏡の送気送水装置を提供すること。【解決手段】給水ボトル１２に設けられた切換弁３０に、給水ボトル１２内の加圧空気を送水管２２内に流入させて送水管２２内で水と混合させるための噴霧用通気孔２０が形成されていて、給水ボトル１２内の加圧空気を噴霧用通気孔２０から送水管２２内に流入させて送水管２２内において水と混合させ、観察窓に噴霧状態で水が吹き付けられる状態と、給水ボトル１２内の加圧空気を送水管２２内に流入させずに貯留水のみを送水管２２内送り込んで観察窓に水のみが吹き付けられる状態とを切り換えることができる。【選択図】    図２
2014000288.tif 000002
【特許請求の範囲】
【請求項１】
内視鏡内に、送気管と送水管とが交わることなく配管されて、外部送気ポンプから上記送気管に加圧空気が供給され、
上記内視鏡の観察窓に吹き付けるために上記送水管に供給される水が貯留された給水ボトルに、上記加圧空気により上記給水ボトル内を加圧するための加圧口が、上記貯留水の水面より上方位置に設けられ、上記送水管は、上記貯留水中に取水口が配置されてそこから上方に延出して設けられた構成を有する給水ボトルを備えた内視鏡の送気送水装置において、
上記給水ボトルの空間内に外部から切り換え操作される切換弁が配置され、
上記切換弁には、上記給水ボトル内の加圧空気を上記送水管内に流入させて上記送水管内で水と混合させるための噴霧用通気孔が形成されていて、
上記切換弁は、上記給水ボトル内の加圧空気を上記噴霧用通気孔から上記送水管内に流入させて上記送水管内において水と混合させ、上記観察窓に噴霧状態で水が吹き付けられる状態と、上記給水ボトル内の加圧空気を上記送水管内に流入させずに上記貯留水のみを上記送水管内送り込んで上記観察窓に水のみが吹き付けられる状態とを切り換えることができることを特徴とする給水ボトルを備えた内視鏡の送気送水装置。
【請求項２】
上記噴霧用通気孔の有効最小流路断面積が、上記噴霧用通気孔より上記取水口寄りの領域における上記送水管の最小流路断面積の１／４０〜１／５の範囲にある請求項１記載の給水ボトルを備えた内視鏡の送気送水装置。
【請求項３】
上記噴霧用通気孔の有効最小流路断面積が、上記噴霧用通気孔より上記取水口寄りの領域における上記送水管の最小流路断面積の１／２０〜１／１０の範囲にある請求項１記載の給水ボトルを備えた内視鏡の送気送水装置。
【請求項４】
上記噴霧用通気孔が、上記給水ボトル内の空間と上記切換弁内とを連通させる真っ直ぐな単純孔である請求項１ないし３のいずれかの項に記載の給水ボトルを備えた内視鏡の送気送水装置。
【請求項５】
上記噴霧用通気孔の有効最小流路断面積を可変調整するための通気孔有効面積調整手段が設けられている請求項１記載の給水ボトルを備えた内視鏡の送気送水装置。
【請求項６】
上記通気孔有効面積調整手段が、外部から回転操作できるように上記切換弁に組み込まれたねじ部材を備え、上記ねじ部材の軸線方向移動に伴って上記噴霧用通気孔の有効最小流路断面積が変化する請求項５記載の給水ボトルを備えた内視鏡の送気送水装置。
【請求項７】
上記切換弁が、上記噴霧用通気孔より断面積の大きな排水用空気導入口を経由して上記給水ボトル内の加圧空気を上記送水管内に流入させて上記送水管内の排水をする状態にも切り換えることができる請求項１ないし６のいずれかの項に記載の給水ボトルを備えた内視鏡の送気送水装置。
【発明の詳細な説明】
【技術分野】
【０００１】
この発明は、内視鏡の観察窓に吹き付けるための水を貯留する給水ボトルを備えた内視鏡の送気送水装置に関する。
【背景技術】
【０００２】
体腔内において内視鏡の観察窓の表面に粘液や汚物等が付着して、内視鏡観察が妨げられる場合がある。そこで、内視鏡には一般に、観察窓の表面を水で洗い流すための送水機能が備えられており、その水を貯留する給水ボトルが内視鏡の外部に設けられている。
【０００３】
また内視鏡には、体腔内の臓器を観察し易いように膨らませたり、観察窓の表面に残った水滴を吹き飛ばしたりするための送気機能が備えられていて、送気装置の動作源として外部送気ポンプが設けられている。
【０００４】
そのような外部送気ポンプから送り出される加圧空気は給水ボトル内に送られ、給水ボトル内の貯留水が加圧される。そして、その圧力により給水ボトル内の貯留水が送水管を通って送り出されるようになっており、一つの外部送気ポンプが送水装置の駆動源にもなっている。
【０００５】
また、粘液や汚物等が観察窓に強力に付着すると、送水ノズルから水を吹き付けただけでは容易に洗い流すことができない場合がある。そこで、送水管と送気管を途中で合流させて送水管内に加圧空気を混入させ、噴霧状態にして観察窓に吹き付けることで粘液等を洗い流す洗浄力を向上させていた（例えば、特許文献１、２、３）。
【０００６】
ただし、「噴霧」の状態では観察窓に付着した粘液等を洗い流す動作に伴って加圧空気が体腔内に送り込まれるので、噴霧操作を長時間行うと、術者が意図していない多量の空気が体腔内に送り込まれて、被検者に苦痛を与えてしまう場合がある。そこで、空気が混じらない単純な「送水」動作と空気が混じる「噴霧」動作とを選択して使用できるようになっている。
【先行技術文献】
【特許文献】
【０００７】
【特許文献１】特開２００３−５２６２１
【特許文献２】特開平３−２１５２４１
【特許文献３】特開平９−２９４７１５
【発明の概要】
【発明が解決しようとする課題】
【０００８】
送水管内に加圧空気を水に対し適切な混合比で混入させて、噴霧状態にしたものを観察窓に吹き付けると、観察窓に強力に付着した粘液等でも洗い流すことができる。しかし、噴霧を可能にした従来の装置においては、送水管と送気管を途中で合流させていたので、噴霧動作の後に送気操作がなされた時、合流部より先端寄りの送気管内に残っていた水や合流部付近に残っていた水が観察窓に向かって吹き出されてしまう。
【０００９】
そのため、従来のそのような内視鏡においては、術者が噴霧操作をした後で送気操作をした直後に毎回、術者の意に反して観察窓に水滴が吹き付けられて観察の妨げになり、内視鏡操作のリズムが乱されてしまうという問題があった。
【００１０】
本発明はそのような事情に鑑みてなされたものであり、観察窓に水を吹き付けられるだけでなく、空気混じりの噴霧状態にもすることができて、観察窓に強力に付着した粘液等を洗い流すことができるようにすると共に、噴霧動作の後に送気操作がなされた時に、送気される空気に水が混じらず、術者の内視鏡操作のリズムが乱されない給水ボトルを備えた内視鏡の送気送水装置を提供することを目的とする。
【課題を解決するための手段】
【００１１】
上記の目的を達成するため、本発明の給水ボトルを備えた内視鏡の送気送水装置は、内視鏡内に、送気管と送水管とが交わることなく配管されて、外部送気ポンプから送気管に加圧空気が供給され、内視鏡の観察窓に吹き付けるために送水管に供給される水が貯留された給水ボトルに、加圧空気により給水ボトル内を加圧するための加圧口が、貯留水の水面より上方位置に設けられ、送水管は、貯留水中に取水口が配置されてそこから上方に延出して設けられた構成を有する給水ボトルを備えた内視鏡の送気送水装置において、給水ボトルの空間内に外部から切り換え操作される切換弁が配置され、切換弁には、給水ボトル内の加圧空気を送水管内に流入させて送水管内で水と混合させるための噴霧用通気孔が形成されていて、切換弁は、給水ボトル内の加圧空気を噴霧用通気孔から送水管内に流入させて送水管内において水と混合させ、観察窓に噴霧状態で水が吹き付けられる状態と、給水ボトル内の加圧空気を送水管内に流入させずに貯留水のみを送水管内送り込んで観察窓に水のみが吹き付けられる状態とを切り換えることができるようにしたものである。
【００１２】
なお、噴霧用通気孔の有効最小流路断面積が、噴霧用通気孔より取水口寄りの領域における送水管の最小流路断面積の１／４０〜１／５の範囲にあるとよく、好ましくは、１／２０〜１／１０の範囲にあるとよい。そのように設定することにより、観察窓に付着した粘液等を洗い流すのに適した良好な噴霧状態を得ることができる。
【００１３】
また、噴霧用通気孔が、給水ボトル内の空間と切換弁内とを連通させる真っ直ぐな単純孔であってもよく、噴霧用通気孔の有効最小流路断面積を可変調整するための通気孔有効面積調整手段が設けられていてもよい。通気孔有効面積調整手段を設けることにより、観察窓の表面の状態に対応して噴霧状態を調整することができる。
そして、通気孔有効面積調整手段が、外部から回転操作できるように切換弁に組み込まれたねじ部材を備え、ねじ部材の軸線方向移動に伴って噴霧用通気孔の有効最小流路断面積が変化するようにしてもよい。そのように構成することにより、噴霧状態を任意に微調整することができる。
【００１４】
また、切換弁が、噴霧用通気孔より断面積の大きな排水用空気導入口を経由して給水ボトル内の加圧空気を送水管内に流入させて送水管内の排水をする状態にも切り換えることができるようにしてもよい。そのように構成することにより、内視鏡検査終了後に送水管内を全長にわたって排水、洗浄することができる。
【発明の効果】
【００１５】
本発明によれば、給水ボトルの空間内に配置された切換弁に、給水ボトル内の加圧空気を送水管内に流入させて送水管内で水と混合させるための噴霧用通気孔が形成されていて、切換弁が、給水ボトル内の加圧空気を噴霧用通気孔から送水管内に流入させて送水管内において水と混合させ、観察窓に噴霧状態で水が吹き付けられる状態と、給水ボトル内の加圧空気を送水管内に流入させずに貯留水のみを送水管内送り込んで観察窓に水のみが吹き付けられる状態とを切り換えることができので、観察窓に水を吹き付けられるだけでなく、空気混じりの噴霧状態にもすることができて、観察窓に強力に付着した粘液等を洗い流すことができ、しかも、送水操作の後に送気操作がなされた時に、送気される空気に水が混じらず、術者の内視鏡操作のリズムが乱されない。
【図面の簡単な説明】
【００１６】
【図１】本発明の第１の実施例に係る給水ボトルを備えた内視鏡の送気送水装置の全体構成を示す略示図である。
【図２】本発明の第１の実施例の、噴霧状態における給水ボトルの上半部分の側面断面図である。
【図３】本発明の第１の実施例の、噴霧状態に操作された切換レバー部分の正面図である。
【図４】本発明の第１の実施例の、送水状態に操作された切換レバー部分の正面図である。
【図５】本発明の第１の実施例の、排水状態に操作された切換レバー部分の正面図である。
【図６】本発明の第１の実施例の、送水状態における給水ボトルの上半部分の側面断面図である。
【図７】本発明の第１の実施例の、排水状態における給水ボトルの上半部分の側面断面図である。
【図８】本発明の第２の実施例の、給水ボトルの上半部分の側面断面図である。
【図９】本発明の第３の実施例の、噴霧状態における切換弁部分の側面断面図である。
【図１０】本発明の第３の実施例の、図９におけるＸ−Ｘ断面図である。
【図１１】本発明の第３の実施例の、図９におけるＸＩ−ＸＩ断面図である。
【図１２】本発明の第３の実施例の、送水状態における切換弁部分の側面断面図である。
【図１３】本発明の第３の実施例の、排水状態における給水ボトルの上半部分の側面断面図である。
【図１４】本発明の第３の実施例の、図１３におけるＸＩＶ−ＸＩＶ断面図である。
【図１５】本発明の第３の実施例の、図１３におけるＸＶ−ＸＶ断面図である。
【発明を実施するための形態】
【００１７】
以下、図面を参照して本発明の第１の実施例を説明する。
図１は、給水ボトルを備えた内視鏡の送気送水装置の全体構成を略示している。内視鏡１の挿入部２の基端には操作部３が連結されている。その操作部３から延出する連結可撓管４の先端には、図示されていないビデオプロセッサ兼光源装置に接続されるコネクタ部５が設けられている。６は、コネクタ部５の側面に配置された送気送水管路コネクタ部である。
【００１８】
挿入部２の最先端面７には、観察窓と照明窓が配置されている他、観察窓の表面に向かって空気を吹き付ける送気ノズル８、及び観察窓の表面に向かって水を吹き付ける送水ノズル９等が配置されている。
【００１９】
１１は、内視鏡１の外部に配置された外部送気ポンプである。１２は、観察窓の表面を洗い流すための水を貯留する給水ボトルであり、やはり内視鏡１の外部に設けられている。１３は、給水ボトル１２内の貯留水である。
【００２０】
外部送気ポンプ１１で加圧されて加圧パイプ１４に送り出された加圧空気は、給水ボトル１２の蓋部１５に形成された加圧口１６から給水ボトル１２内に導入され、給水ボトル１２内の貯留水１３が加圧される。なお、加圧口１６は、貯留水１３の水面より上方にあればよく、必ずしも蓋部１５に形成しなくてもよい。
【００２１】
先端が送気ノズル８に接続された送気管２１と、送水ノズル９に接続された送水管２２とは、共に、挿入部２内から操作部３内及び連結可撓管４内を通過して送気送水管路コネクタ部６を経由し、各々の基端が給水ボトル１２に接続されている。送気管２１と送水管２２とは、全長にわたって互いに交わることなく配置されている。
【００２２】
そして、送気管２１への給気口は給水ボトル１２の蓋部１５の頂部に開口配置されている。送水管２２は、貯留水１３内に取水口２２ｉが配置されてそこから上方に延出して設けられている。また、送気管２１と送水管２２とを各々遮断／開通状態に切り換え操作することができる公知の送気送水操作弁５０が、操作部３に配置されている。
【００２３】
送気送水操作弁５０は、待機状態においては送気管２１と送水管２２を共に途中で遮断していて、外部送気ポンプ１１から送気管２１内を通って送られてきた加圧空気は送気送水操作弁５０から外部に連続的に放出される。送気送水操作弁５０を送気状態にする操作が行われると、送水管２２は遮断されたままで、送気管２１が開通状態になり、加圧空気が送気ノズル８から放出される。
【００２４】
送気送水操作弁５０を送水状態にする操作が行われると、送気管２１が閉塞されて送水管２２が開通状態になる。すると、給水ボトル１２内で加圧された水が、送水管２２内を通って送水ノズル９から観察窓の表面に吹き付けられる。
【００２５】
ただし、本発明においては、給水ボトル１２の空間内に外部から切り換え操作される切換弁３０が配置されていて、切換レバー３１を操作することにより「噴霧モード」と「送水モード」とを切り換えることができるようになっている。また本実施例では、さらに「排水モード」にも切り換えることができる。
【００２６】
「噴霧モード」とは、送気送水操作弁５０で送水操作が行われた時に、給水ボトル１２内の加圧空気が送水管２２内に送り込まれて水と混合され、送水ノズル９から観察窓に吹き付けられる水が空気混じりの噴霧状態になるモードである。
【００２７】
「送水モード」とは、送気送水操作弁５０で送水操作が行われた時に、給水ボトル１２内の加圧空気が送水管２２内に流入せずに、貯留水１３のみが送水管２２内に送り込まれて観察窓に水のみが吹き付けられるモードである。
【００２８】
「排水モード」とは、送気送水操作弁５０で送水操作が行われた時に、給水ボトル１２内の貯留水１３が送水管２２内に流入せずに、加圧空気のみが送水管２２内に送り込まれて、送水管２２内の排水が行われるモードである。
【００２９】
図２は、給水ボトル１２部分の詳細構造を示している。蓋部１５は給水ボトル１２の頂部にねじ込みにより着脱自在であり、そのねじ込み部は、蓋部１５が取り付けられるとＯリングによりシールされた状態になる。加圧口１６は、蓋部１５の側面部に設けられている。
【００３０】
給水ボトル１２の上部空間内には、外部から回転操作される切換レバー３１で切り換え操作される切換弁３０が配置されている。４０は、切換レバー３１を回転操作範囲の所定の一か所（「噴霧モード」位置）でクリック固定させるために設けられたクリックピンである。
【００３１】
送水管２２は、切換弁３０で分断接続されていて、送気送水管路コネクタ部６に向かうボトル外送水管２２ａと貯留水１３内に向かうボトル内送水管２２ｂとが、シリンダ体３２の外面に別々に接続されている。
【００３２】
切換弁３０は、外周部の１８０°対称位置にボトル外送水管２２ａの端部とボトル内送水管２２ｂの端部とが別れて接続されたシリンダ体３２内に、切換レバー３１と直結された作動弁体３３が軸線周り方向に回転自在に（且つ、軸線方向にも進退可能に）配置された構成を備えている。
【００３３】
３４は、送水管２２内の排水操作を行う際に加圧空気をシリンダ体３２内に導入するための排水用空気導入口。３５は、シリンダ体３２を蓋部１５に固定している固定ナットである。
【００３４】
作動弁体３３の外周面に形成されたカム溝３６と、シリンダ体３２の壁部から内方に固定的に突設された案内ピン３７とが係合している。その結果、切換レバー３１を回転操作すると、シリンダ体３２内において、作動弁体３３が螺動して、軸線周り方向に回転するのと同時に軸線方向に移動し、「噴霧モード」、「送水モード」、「排水モード」の三つの状態が切り換わるようになっている。
【００３５】
送気管２１の基端は蓋部１５の頂部に接続されている。そして、ボトル外送水管２２ａが送気管２１内に挿通配置された状態になっていて、ボトル外送水管２２ａの外周面と送気管２１の内周面との間の空間が送気通路になっている。
【００３６】
その結果、送気送水操作弁５０で送水操作が行われている時以外（即ち、待機状態と送気操作状態の時）は、加圧口１６から給水ボトル１２内に送り込まれた加圧空気が送気管２１内に送り出される。  
【００３７】
シリンダ体３２の底面の軸線位置には、給水ボトル１２内の空間とシリンダ体３２内とを連通させる噴霧用通気孔２０が形成されている。言い換えると、噴霧用通気孔２０は、送水管２２の途中であって給水ボトル１２内の空間に位置する部分に設けられていて、給水ボトル１２内の加圧空気を送水管２２内に流入させるものである。この実施例の噴霧用通気孔２０は、断面形状が円形の真っ直ぐな単純孔である。
【００３８】
なお、送気送水操作弁５０が待機状態の時及び送気状態に操作されている時は、送水管２２が送気送水操作弁５０で閉塞されているので、噴霧用通気孔２０からシリンダ体３２内に加圧空気が送り込まれることはない。
【００３９】
作動弁体３３の底面には端面シール用Ｏリング３８が取り付けられている。図２に示されるように端面シール用Ｏリング３８がシリンダ体３２の底面から離れた状態では、噴霧用通気孔２０により給水ボトル１２内の空間とシリンダ体３２内の空間とが直接連通している。
【００４０】
シリンダ体３２の内径と作動弁体３３の外径とは各々、奥側半部の領域が切換レバー３１寄りの口元側半部の領域より細く形成されていて、作動弁体３３の中間部分の外径変化部付近（厳密には、作動弁体３３の外径変化部分の外径が太い方の部分の外周面）に周面シール用Ｏリング３９が取り付けられている。
【００４１】
そして、周面シール用Ｏリング３９がシリンダ体３２の内径変化部から奥側の細径部分の範囲に位置する時は、シリンダ体３２の内周面と作動弁体３３の外周面との間が周面シール用Ｏリング３９でシールされ、周面シール用Ｏリング３９がそれより口元側（図２において右方）に位置するときは、シリンダ体３２の内周面と作動弁体３３の外周面との間のシールが解除される。
【００４２】
図３は、切換レバー３１が「噴霧モード」の位置にある時、図４は「送水モード」の位置にある時、図５は「排水モード」の位置にある時を示しており、図２に示される切換弁３０は「噴霧モード」になっている。４１は、切換レバー３１の回転範囲の両端位置を規制するように設けられたストッパである。
【００４３】
操作部３に設けられている送気送水操作弁５０が送水状態に操作されると、送気管２１が閉塞されて、送水管２２が開通状態になる。すると、加圧空気で加圧されている給水ボトル１２内の貯留水１３が、取水口２２ｉから送水管２２内に送り込まれる。
【００４４】
水は、ボトル内送水管２２ｂからシリンダ体３２内を通ってボトル外送水管２２ａ内に送られる。そして、「噴霧モード」においてはそれと同時に、給水ボトル１２内の加圧空気が噴霧用通気孔２０を通ってシリンダ体３２内に送り込まれる。
【００４５】
シリンダ体３２内の水圧は、取水口２２ｉから切換弁３０までのボトル内送水管２２ｂ内での減圧分だけ、給水ボトル１２内の加圧空気の圧力より低下している。したがって、シリンダ体３２内の水が噴霧用通気孔２０を通って給水ボトル１２内の空間側に押し出されることはない。
【００４６】
その結果、ボトル内送水管２２ｂを通った水と噴霧用通気孔２０を通った加圧空気とがシリンダ体３２内の合流部Ｍで合流し、加圧空気と水が混合された状態になってボトル外送水管２２ａに送られる。その結果、送水ノズル９から観察窓に吹き付けられる水が空気混じりの噴霧状態になり、観察窓に粘液等が強力に付着していても、短時間で洗い流すことができる。
【００４７】
ただし、送水ノズル９から噴射される水が適切な噴霧状態になるには、噴霧用通気孔２０の有効最小流路断面積Ｐがボトル内送水管２２ｂの有効最小流路断面積（即ち、噴霧用通気孔２０より取水口２２ｉ寄りの領域における送水管２２の最小流路断面積）Ｑに対して適切な比率であることが必要である。実験の結果によれば、Ｐ／Ｑが１／２０〜１／１０の範囲にあることが望ましく、少なくとも、１／４０〜１／５の範囲にあることが必要である。
【００４８】
また本発明においては、送気管２１と送水管２２とが全長にわたって交わることなく分離して配置されていることにより、送気管２１内に送水管２２側の水が全く混入しないので、送気送水操作弁５０を送水操作した後に送気操作を行ったときには、送気ノズル８から空気だけが噴出され、術者の内視鏡操作のリズムが乱されない。
【００４９】
このように本発明においては、送気管２１と送水管２２とが全長にわたって交わることなく分離して配置された構成であっても、送水ノズル９から観察窓に吹き付けられる水を空気混じりの噴霧状態にできるようにした点に特徴がある。
【００５０】
図４に示されるように、切換レバー３１が「送水モード」の位置に回転操作されると、図６に示されるように、端面シール用Ｏリング３８がシリンダ体３２の底面に密着する状態に作動弁体３３が移動し、周面シール用Ｏリング３９は、シリンダ体３２の内周面と作動弁体３３の外周面との間をシールした状態を保つ。
【００５１】
すると、噴霧用通気孔２０が閉塞された状態になることにより、ボトル外送水管２２ａには、ボトル内送水管２２ｂを通った水だけが送り込まれ、送水ノズル９から観察窓に水だけが吹き付けられる送水状態になる。
【００５２】
また、図５に示されるように、切換レバー３１が「排水モード」の位置に回転操作されると、図７に示されるように、周面シール用Ｏリング３９がシリンダ体３２の内周面から大きく離れる方向に作動弁体３３が移動する。
【００５３】
すると、給水ボトル１２内の加圧空気が排水用空気導入口３４からシリンダ体３２内を通ってボトル外送水管２２ａ内に大流量で送り込まれ、送水管２２内を排水することができる。これは、内視鏡検査終了時に行われるものであり、送水管２２内を全長にわたって排水、洗浄することができる。
【００５４】
図８は、本発明の第２の実施例の給水ボトル１２部分を示している。切換弁１３０以外の第２の実施例の構成は第１の実施例と同様である。第２の実施例において第１の実施例と同じ構成の部分については、第１の実施例と同じ符号を付して、その説明は省略するものとする。
【００５５】
この実施例においては、第１の実施例の切換レバー３１に代えてその位置に配置された回転摘み１３１を回転操作すると、固定ナット３５に対してねじ部１３６においてねじ係合する作動弁体３３（ねじ部材）が螺動して軸線方向に移動するようになっている。その他の構成及び動作は、第１の実施例と同様である。
【００５６】
このように構成された第２の実施例においては、第１の実施例に比べて作動弁体３３の螺動ピッチが数分の一程度と非常に小さいので、回転摘み１３１の回転操作により作動弁体３３（ねじ部材）を軸線方向に微動調整することができる。
【００５７】
その結果、噴霧用通気孔２０の有効最小流路断面積を微細に可変調整することができる。このように、第２の実施例の作動弁体３３と回転摘み１３１は通気孔有効面積調整手段として機能し、噴霧状態を任意に微細に調整することができる。
【００５８】
図９〜図１５は、本発明の第３の実施例を示している。切換弁２３０以外の第３の実施例の構成は第１及び第２の実施例と同様である。第３の実施例において第１及び第２の実施例と同じ構成の部分については、第１及び第２の実施例と同じ符号を付して、その説明は省略する。
【００５９】
第３の実施例においても、給水ボトル１２の上部空間内に、外部から回転操作される切換レバー２３１で切り換え操作される切換弁２３０が配置されていて(図１３参照）、「噴霧モード」、「送水モード」及び「排水モード」を任意に切り換えることができる。図９は、そのうちの「噴霧モード」の状態を示している。
【００６０】
切換弁２３０は、外周部の１８０°対称位置にボトル外送水管２２ａの端部とボトル内送水管２２ｂの端部とが別れて接続された略円筒状のシリンダ体２３２内に、切換レバー２３１と直結された略円柱状の作動弁体２３３が軸線周り方向に回転自在に嵌挿配置された構成を備えている。２３５は、シリンダ体２３２を蓋部１５に固定する固定ナットである。
【００６１】
シリンダ体２３２の側壁部には、第１及び第２の実施例と同様の径の噴霧用通気孔２０と、送水管２２の内径と同程度若しくはそれ以上の内径を有する排水用空気導入口２３４とが、軸線方向の位置と軸線周り方向の向きを変えて穿設されている。
【００６２】
Ｘ−Ｘ断面を図示する図１０に示されるように、排水用空気導入口２３４は、送水管２２に対しシリンダ体２３２の軸線方向位置を合わせて、軸線周り方向は送水管２２に対し９０°異なる向きにシリンダ体２３２に形成されている。
【００６３】
また、送水管２２の内径と同程度の内径を有するＴ字孔２４２が、送水管２２（即ち、ボトル外送水管２２ａとボトル内送水管２２ｂ）と排水用空気導入口２３４とを選択的に接続できるように作動弁体２３３に形成されている。
【００６４】
図９に示されるように、作動弁体２３３の軸線位置には、ねじ棒体２４４が螺合して設けられている。ねじ棒体２４４の外端部に形成された操作摘み２４５は、給水ボトル１２外に突出していて、給水ボトル１２外から単独で回転操作することができる。ねじ棒体２４４の奥側端部には、パッキン２４６が取り付けられている。
【００６５】
また、作動弁体２３３には、Ｔ字孔２４２と噴霧用通気孔２０とを連通させるように連通孔２４７，２４８が軸線部と側面部とにまたがって形成されていて、その中間部分がパッキン２４６で塞がれるようになっている。
【００６６】
ただし、操作摘み２４５を緩み側に回転操作して、パッキン２４６を連通孔２４７，２４８の中間部分から退避させると、連通孔２４７，２４８が開通して、Ｔ字孔２４２と噴霧用通気孔２０とがつながった状態になる。連通孔２４７，２４８は、噴霧用通気孔２０より大きな径に形成されている。
【００６７】
図１１は、そのように構成されている部分のＸＩ−ＸＩ断面を示しており、切換レバー２３１が「噴霧モード」の位置にある時は、連通孔２４８が噴霧用通気孔２０に対してま真っ直ぐに連通している。
【００６８】
このように、「噴霧モード」においては、ボトル外送水管２２ａとボトル内送水管２２ｂとがＴ字孔２４２を介して連通すると共に、連通孔２４８が噴霧用通気孔２０と真っ直ぐに連通して、パッキン２４６が連通孔２４７，２４８を塞がない位置に退避させられている。
【００６９】
その結果、操作部３に設けられている送気送水操作弁５０で送水操作が行われると、給水ボトル１２内の加圧空気が、噴霧用通気孔２０、連通孔２４７，２４８を通ってＴ字孔２４２内に送り込まれる。
【００７０】
すると、ボトル内送水管２２ｂを通った水と噴霧用通気孔２０を通った加圧空気とがＴ字孔２４２内で合流し、加圧空気と水が混合されてボトル外送水管２２ａに送り出され、送水ノズル９から観察窓に吹き付けられる水が空気混じりの噴霧状態になって、観察窓の表面に付着した粘液等を洗い流すことができる。
【００７１】
そして、操作摘み２４５を締め込んで、図１２に示されるように、連通孔２４７，２４８をパッキン２４６で塞げば、噴霧用通気孔２０とＴ字孔２４２とが連通しなくなるので「送水モード」になり、送気送水操作弁５０で送水操作が行われると、送水ノズル９から観察窓に水だけが吹き付けられる。
【００７２】
図１３は、切換弁２３０が「排水モード」にある状態を示している。この時は、図９の「噴霧モード」及び図１２の「送水モード」の場合と比較して、切換レバー２３１が９０°回転操作された状態になっている。
【００７３】
「排水モード」においては、パッキン２４６が連通孔２４７，２４８を塞いでいるか否かは無関係である。したがって、操作摘み２４５は、締め込み操作された状態であっても緩み側に操作された状態であってもどちらでも差し支えない。
【００７４】
「排水モード」の状態では、ＸＩＶ−ＸＩＶ断面を図示する図１４に示されるように、排水用空気導入口２３４とボトル外送水管２２ａとがＴ字孔２４２により連通して、ボトル内送水管２２ｂが閉塞された状態に作動弁体２３３が回転させられている。
【００７５】
その結果、操作部３に設けられている送気送水操作弁５０で送水操作が行われると、給水ボトル１２内の加圧空気が、排水用空気導入口２３４からＴ字孔２４２内を通ってボトル外送水管２２ａに送られ、ボトル外送水管２２ａ内が排水される。このとき、ＸＶ−ＸＶ断面を図示する図１５に示されるように、噴霧用通気孔２０と連通孔２４８との間は遮蔽されている。
【００７６】
なお、本発明は上記実施例に限定されるものではなく、明細書に具体的に記載されていない各種の実施態様を含むものである。なお、「噴霧モード」と「送水モード」との切り換え機能だけが設けられていて、「排水モード」が設けられていないものであっても差し支えない。
【符号の説明】
【００７７】
１  内視鏡
８  送気ノズル
９  送水ノズル
１１  外部送気ポンプ
１２  給水ボトル
１３  貯留水
１６  加圧口
２０  噴霧用通気孔
２１  送気管
２２  送水管
２２ａ  ボトル外送水管
２２ｂ  ボトル内送水管
２２ｉ  取水口
３０，１３０，２３０  切換弁
３１，２３１  切換レバー
３４，１３４，２３４  排水用空気導入口
５０  送気送水操作弁
１３１  回転摘み
２４２  Ｔ字孔
２４４  ねじ棒体
２４５  摘み
２４６  パッキン
２４７，２４８  連通孔
Ｍ  合流部
【図１】
2014000288.tif 000003
【図２】
2014000288.tif 000004
【図３】
2014000288.tif 000005
【図４】
2014000288.tif 000006
【図５】
2014000288.tif 000007
【図６】
2014000288.tif 000008
【図７】
2014000288.tif 000009
【図８】
2014000288.tif 000010
【図９】
2014000288.tif 000011
【図１０】
2014000288.tif 000012
【図１１】
2014000288.tif 000013
【図１２】
2014000288.tif 000014
【図１３】
2014000288.tif 000015
【図１４】
2014000288.tif 000016
【図１５】
2014000288.tif 000017